(57)【要約】【課題】ユーザが、目的のファイルを探し出しやすく、２以上の画像ファイルを含む画像ファイル群の内容を理解しやすい。【解決手段】デジタルカメラ２０は、記憶されている画像ファイルが、現像前のＲＡＷファイルとこのＲＡＷファイルを現像して得られるＪＰＥＧファイルとを含む画像ファイル群に属するか否かを判定し、画像ファイル群に属すると判定されたときには、画像ファイル群に属する画像と画像ファイル群に属さない単画像ファイルとを区別可能な状態でユーザにより選択可能である画像選択画面を表示すると共に、表示している画像がどの種のファイルに相当するかの情報を含む表示画像情報表示部や、現像を実行した機器名を含む現像機器情報表示部などこの画像ファイル群や単画像ファイルに関する情報を文字表示する。このように、画像ファイル群の画像では、複数の画像のうち１つの画像が表示され、その画像ファイルの情報を表示する。【選択図】図１
2008109630.tif 000002
【特許請求の範囲】
【請求項１】
画像を表示可能な表示手段と、
画像ファイルを記憶手段から取得する取得手段と、
前記取得した画像ファイルが、元画像ファイル及び／又は該元画像ファイルに基づいて生成された生成画像ファイルの２以上の画像ファイルを含む画像ファイル群に属するか否かを判定する判定手段と、
前記判定手段によって前記画像ファイルが前記画像ファイル群に属すると判定されたときには、前記画像ファイル群に属する画像ファイルのうち１つの画像をユーザにより選択可能な態様で前記表示手段に表示させ、該画像ファイル群に関する情報を視認可能な態様で前記表示手段に表示させる制御手段と、
を備えた画像表示制御装置。
【請求項２】
前記制御手段は、前記判定手段によって前記画像ファイル群に属すると判定された画像ファイルの画像と、前記判定手段によって前記画像ファイル群に属しないと判定された単画像ファイルの画像とを異なる態様で前記表示手段に表示させる、請求項１又は２に記載の画像表示制御装置。
【請求項３】
前記判定手段は、前記元画像ファイルとしての非圧縮又は可逆圧縮ファイルである現像前のＲＡＷファイルと、前記生成画像ファイルとしての非可逆圧縮ファイルである現像後のＪＰＥＧファイルとを含む画像ファイル群に属するか否かを判定する、請求項１又は２に記載の画像表示制御装置。
【請求項４】
前記制御手段は、前記画像ファイル群に関する情報を視認可能な態様で前記表示手段に表示させるに際して、前記画像ファイル群に含まれる前記元画像ファイルがいずれの機器で撮像されたのかの情報、前記生成画像ファイルがいずれの機器で撮像されたかの情報及び前記生成画像ファイルがいずれの機器で生成されたかの情報のうち少なくとも１つを文字、図形又は記号として前記表示手段に表示させる、請求項１〜３のいずれか１項に記載の画像表示制御装置。
【請求項５】
前記制御手段は、前記画像ファイル群に関する情報を視認可能な態様で前記表示手段に表示させるに際して、前記画像ファイル群に属する画像ファイルのうちいずれの画像ファイルに基づく画像を表示させているかの情報を前記表示手段に表示させる、請求項１〜４のいずれか１項に記載の画像表示制御装置。
【請求項６】
前記制御手段は、前記画像ファイル群の画像と前記画像ファイル群に属しない画像とを異なる態様で前記表示手段に表示させるに際して、前記画像ファイル群に属する画像ファイルの画像と前記画像ファイル群に含まれない元画像ファイルの画像と前記画像ファイル群に属しない生成ファイルの画像とを異なる色を利用して区別可能に前記表示手段に表示させる、請求項２に記載の画像表示制御装置。
【請求項７】
請求項１〜６のいずれか１項に記載の画像表示制御装置であって、
ユーザから所定の処理を実行する画像ファイルの選択処理の開始指示を取得する指示取得手段、を備え、
前記判定手段は、前記指示取得手段が前記開始指示を取得したあと、前記記憶手段に記憶されている画像ファイルが前記画像ファイル群に属するか否かを判定する、
画像表示制御装置。
【請求項８】
前記制御手段は、前記所定の処理として画像ファイルの削除処理、複製処理、移動処理、印刷処理及び生成画像ファイルの生成処理のうちいずれかの処理を行うかの情報を前記表示手段に表示させる、請求項７に記載の画像表示制御装置。
【請求項９】
被写体を撮像可能な撮像手段と、
前記撮像手段によって撮像された情報から画像ファイルを作成し前記記憶手段に記憶させる画像ファイル作成手段と、
請求項１〜８のいずれか１項に記載の画像表示制御装置と、
を備えた撮影装置。
【請求項１０】
画像を表示可能な表示手段と、画像ファイルを記憶可能な記憶手段と、を利用した画像表示方法であって、
（ａ）前記記憶手段に記憶されている画像ファイルが、元画像ファイル及び／又は該元画像ファイルに基づいて生成された生成画像ファイルの２以上の画像ファイルを含む画像ファイル群に属するか否かを判定するステップと、
（ｂ）前記ステップ（ａ）で前記画像ファイルが前記画像ファイル群に属すると判定したときには、前記画像ファイル群に属する画像ファイルのうち１つの画像をユーザにより選択可能な態様で前記表示手段に表示させ、該画像ファイル群に関する情報を視認可能な態様で前記表示手段に表示させるステップと、
を含む画像表示方法。
【請求項１１】
請求項１０に記載の画像表示方法の各ステップを１又は複数のコンピュータに実現させるためのプログラム。
【発明の詳細な説明】
【技術分野】
【０００１】
本発明は、画像表示制御装置、撮影装置、画像表示方法及びそのプログラムに関する。
【背景技術】
【０００２】
従来、撮影装置としては、可逆的に圧縮したＲＡＷファイルとＲＡＷファイルに基づいて生成され非可逆的に圧縮したＪＰＥＧファイルとをメモリに記憶し、これらのファイルを表示するものが提案されている（例えば、特許文献１参照）。
【特許文献１】特開２００５−３３４６８号公報
【発明の開示】
【発明が解決しようとする課題】
【０００３】
ところで、この特許文献１に記載された撮影装置などでは、例えばＲＡＷファイルとこのＲＡＷファイルから生成されたＪＰＥＧファイルとが１組の画像ファイルとして取り扱われ、画像ファイルを選択する画面上にはこのＲＡＷファイルとＲＡＷファイルから生成されたＪＰＥＧファイルとのうち１つの画像のみが表示されることがあった。この場合、例えば表示された画像を選択しようとすると、ＲＡＷファイルとＪＰＥＧファイルとを個別に選択したい場合であっても、ＲＡＷファイルとＪＰＥＧファイルとが一緒に選択されてしまうことがあった。また、１つの画像が表示されても、ＲＡＷファイルとＪＰＥＧファイルとの各々のファイルの内容などについて認識できないなどの問題があった。また、ＪＰＥＧファイルはＲＡＷファイルから現像された処理条件によってその画質が変わることから、表示されている画像の画質がユーザの好みに合わないときなど、ユーザは、ＲＡＷファイルからＪＰＥＧファイルへ再現像することがある。このような場合、表示されている画像がいずれのファイルによるものかがわからず、判断できないことがあった。一方、例えばメモリに記憶された画像ファイルを表示する画像ファイルビューワ装置などでは、ＲＡＷファイルとこのＲＡＷファイルから生成されたＪＰＥＧファイルとが別の画像として取り扱われ、画像ファイルを選択する画面上には同じ画像がいくつも表示されてしまい、ユーザは目的のファイルを探し出しにくいことがあった。
【０００４】
本発明は、このような課題に鑑みなされたものであり、ユーザが、目的のファイルを探し出しやすく、２以上の画像ファイルを含む画像ファイル群の内容を理解しやすい画像表示制御装置、撮影装置、画像表示方法及びそのプログラムを提供することを目的とする。
【課題を解決するための手段】
【０００５】
本発明は、上述の目的を達成するために以下の手段を採った。
【０００６】
本発明の画像表示制御装置は、
画像を表示可能な表示手段と、
画像ファイルを記憶手段から取得する取得手段と、
前記取得した画像ファイルが、元画像ファイル及び／又は該元画像ファイルに基づいて生成された生成画像ファイルの２以上の画像ファイルを含む画像ファイル群に属するか否かを判定する判定手段と、
前記判定手段によって前記画像ファイルが前記画像ファイル群に属すると判定されたときには、前記画像ファイル群に属する画像ファイルのうち１つの画像をユーザにより選択可能な態様で前記表示手段に表示させ、該画像ファイル群に関する情報を視認可能な態様で前記表示手段に表示させる制御手段と、
を備えたものである。
【０００７】
この画像表示制御装置では、記憶されている画像ファイルが、元画像ファイル及び／又は該元画像ファイルに基づいて生成される生成画像ファイルの２以上の画像ファイルを含む画像ファイル群に属するか否かを判定し、画像ファイルが画像ファイル群に属すると判定されたときには、画像ファイル群に属する画像ファイルのうち１つの画像をユーザにより選択可能な態様で表示し、この画像ファイル群に関する情報を視認可能な態様で表示する。このように、複数の画像のうち１つの画像が表示されるため、ユーザは、目的のファイルを探し出しやすい。また、画像ファイル群に関する情報を表示するため、ユーザは、画像ファイル群の内容を理解しやすい。
【０００８】
本発明の画像表示制御装置において、前記制御手段は、前記判定手段によって前記画像ファイル群に属すると判定された画像ファイルの画像と、前記判定手段によって前記画像ファイル群に属しないと判定された単画像ファイルの画像とを異なる態様で前記表示手段に表示させるものとしてもよい。こうすれば、ユーザは、表示された画像が１つのファイルのものであるか、２以上のファイルが含まれているものであるかを容易に視認することができる。このとき、前記制御手段は、前記画像ファイル群の画像と前記画像ファイル群に属しない画像とを異なる態様で前記表示手段に表示させるに際して、前記画像ファイル群に属する画像ファイルの画像と前記画像ファイル群に含まれない元画像ファイルの画像と前記画像ファイル群に属しない生成ファイルの画像とを異なる色を利用して区別可能に前記表示手段に表示させるものとしてもよい。こうすれば、ユーザは、表示されている画像が画像ファイル群のものであるか、単画像ファイルのものであるかを色により容易に視認することができる。
【０００９】
本発明の画像表示制御装置において、前記判定手段は、前記元画像ファイルとしての非圧縮又は可逆圧縮ファイルである現像前のＲＡＷファイルと、前記生成画像ファイルとしての非可逆圧縮ファイルである現像後のＪＰＥＧファイルとを含む画像ファイル群に属するか否かを判定するものとしてもよい。ＲＡＷファイル及びＪＰＥＧファイルは、ＲＡＷファイルを現像し圧縮してＪＰＥＧファイルを生成することが多く、同じ被写体の画像であることが多い。したがって、本発明を適用する意義が高い。なお、前記記憶手段は、前記元画像ファイルとしての非圧縮又は可逆圧縮ファイルである現像前のＲＡＷファイルと前記生成画像ファイルとしての非可逆圧縮ファイルである現像後のＪＰＥＧファイルとを含む画像ファイル群を記憶するものとしてもよい。
【００１０】
本発明の画像表示制御装置において、前記制御手段は、前記画像ファイル群に関する情報を視認可能な態様で前記表示手段に表示させるに際して、前記画像ファイル群に含まれる前記元画像ファイルがいずれの機器で撮像されたのかの情報、前記生成画像ファイルがいずれの機器で撮像されたかの情報及び前記生成画像ファイルがいずれの機器で生成されたかの情報のうち少なくとも１つを文字、図形又は記号として前記表示手段に表示させるものとしてもよい。こうすれば、各々のファイルがいずれの機器で撮像又は生成されたかをユーザが認識することができるから、例えば生成画像ファイルを再生成するか否かの判断などに役立てることができる。
【００１１】
本発明の画像表示制御装置において、前記制御手段は、前記画像ファイル群に関する情報を視認可能な態様で前記表示手段に表示させるに際して、前記画像ファイル群に属する画像ファイルのうちいずれの画像ファイルに基づく画像を表示させているかの情報を前記表示手段に表示させるものとしてもよい。こうすれば、表示画像の画質がいずれの画像ファイルによるものかをユーザが認識することができる。
【００１２】
本発明の画像表示制御装置は、ユーザから前記所定の処理を実行する画像ファイルの選択処理の開始指示を取得する指示取得手段、を備え、前記判定手段は、前記指示取得手段が前記開始指示を取得したあと、前記記憶手段に記憶されている画像ファイルが前記画像ファイル群に属するか否かを判定するものとしてもよい。こうすれば、選択する画像ファイルの画像をユーザの望むときに表示することができる。このとき、前記制御手段は、前記所定の処理として画像ファイルの削除処理、複製処理、移動処理、印刷処理及び生成画像ファイルの生成処理のうちいずれかの処理を行うかの情報を前記表示手段に表示させるものとしてもよい。画像ファイルの削除処理、複製処理、移動処理、印刷処理及び生成画像ファイルの生成処理は、画像を表示して選択したのち実行することが多いため、本発明を適用する意義が高い。
【００１３】
なお、本発明の画像表示制御装置において、前記制御手段は、前記表示手段に表示する画像数が所定の許容数以上であるときに、前記画像ファイル群に属する画像ファイルのうち１つの画像をユーザにより選択可能な態様で前記表示手段に表示させ、該画像ファイル群に属するいずれの画像ファイルに所定の処理を行うかの情報をユーザが選択可能な文字、図形又は記号として前記表示手段に表示させるものとしてもよい。こうすれば、許容数以上のときに表示する画像の数が低減するため、ユーザが効率よく目的のファイルを選択することができる。また、前記制御手段は、前記記憶手段に記憶された画像ファイルの情報を一時的に記憶するバッファ手段、を備え、前記制御手段は、前記バッファ手段に記憶した前記画像ファイルの情報が所定の許容記憶量を超えたときに、前記画像ファイル群に属する画像ファイルのうち１つの画像をユーザにより選択可能な態様で前記表示手段に表示させ、該画像ファイル群に属するいずれの画像ファイルに所定の処理を行うかの情報をユーザが選択可能な文字、図形又は記号として前記表示手段に表示させるものとしてもよい。こうすれば、バッファ手段に記憶した情報の記憶量を抑えることができるため、処理を円滑に行うことができる。
【００１４】
本発明の撮影装置は、被写体を撮像可能な撮像手段と、前記撮像手段によって撮像された情報から画像ファイルを作成し前記記憶手段に記憶させる画像ファイル作成手段と、上述したいずれかに記載の画像表示制御装置と、を備えたものである。本発明の画像表示制御装置は、ユーザが、目的のファイルを探し出しやすく、２以上の画像ファイルを含む画像ファイル群の内容を理解しやすい効果を有するものであるから、これを搭載した撮影装置も同様の効果が得られる。
【００１５】
本発明の画像表示方法は、
画像を表示可能な表示手段と、画像ファイルを記憶可能な記憶手段と、を利用した画像表示方法であって、
（ａ）前記記憶手段に記憶されている画像ファイルが、元画像ファイル及び／又は該元画像ファイルに基づいて生成された生成画像ファイルの２以上の画像ファイルを含む画像ファイル群に属するか否かを判定するステップと、
（ｂ）前記ステップ（ａ）で前記画像ファイルが前記画像ファイル群に属すると判定したときには、前記画像ファイル群に属する画像ファイルのうち１つの画像をユーザにより選択可能な態様で前記表示手段に表示させ、該画像ファイル群に関する情報を視認可能な態様で前記表示手段に表示させるステップと、
を含むものである。
【００１６】
この画像表示方法では、記憶されている画像ファイルが、元画像ファイル及び／又は該元画像ファイルに基づいて生成される生成画像ファイルの２以上の画像ファイルを含む画像ファイル群に属するか否かを判定し、画像ファイルが画像ファイル群に属すると判定されたときには、画像ファイル群に属する画像ファイルのうち１つの画像をユーザにより選択可能な態様で表示し、この画像ファイル群に関する情報を視認可能な態様で表示する。このように、複数の画像のうち１つの画像が表示されるため、ユーザは、目的のファイルを探し出しやすい。また、画像ファイル群に関する情報を表示するため、ユーザは、画像ファイル群の内容を理解しやすい。なお、この画像表示方法において、上述した画像表示制御装置の種々の態様を採用してもよいし、また、上述した画像表示制御装置の各機能を実現するようなステップを追加してもよい。
【００１７】
本発明のプログラムは、上述した画像表示方法の各ステップを１又は複数のコンピュータに実現させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述した画像表示方法の各ステップが実行されるため、画像表示方法と同様の作用効果が得られる。
【発明を実施するための最良の形態】
【００１８】
次に、本発明の実施の形態を図面に基づいて説明する。図１は本発明の一実施形態であるデジタルカメラ２０の構成の概略を示す説明図であり、図２は、フラッシュメモリ２６に記憶された情報の説明図である。本実施形態のデジタルカメラ２０は、シャッタボタン２２の押下により被写体を撮像し撮像された情報に基づいて画像ファイルを作成する撮像ユニット２４と、撮像ユニット２４により作成された画像ファイルを保存する不揮発性の記憶媒体であるフラッシュメモリ２６と、各種の情報を表示すると共にユーザが各種の指示を入力可能な操作パネル３０と、デジタルカメラ２０の全体を制御するコントローラ４０とを備えている。なお、コントローラ４０は、撮像ユニット２４やフラッシュメモリ２６、操作パネル３０とバス２８を介して電気的に接続されている。
【００１９】
撮像ユニット２４は、シャッタボタン２２の押下により図示しないシャッタを駆動し被写体により反射した光をレンズを介して入射しＣＣＤなどの撮像素子により光電変換して得られた電気信号に基づいて現像部２４ａにより画像ファイルを作成する周知のユニットとして構成されている。ここでは、得られた電気信号に基づいて、非圧縮又は可逆圧縮した現像前の元画像ファイルとしてのＲＡＷファイルを生成可能であると共に、生成したＲＡＷファイルに現像部２４ａにより周知の画像処理（例えばホワイトバランス処理やガンマ処理など）を施して現像した非可逆圧縮のＪＰＥＧファイルを生成可能に構成されている。このデジタルカメラ２０では、ＲＡＷファイルとこのＲＡＷファイルから生成されるＪＰＥＧファイルとの両方を記憶する元画像記憶モードと、ＪＰＥＧファイルのみを記憶する省記憶量モードとをユーザが切り替えて撮像可能になっている。なお、ここでは、ＲＡＷファイルからＪＰＥＧファイルを生成するものとしたが、撮像素子により得られた電気信号から直接ＪＰＥＧファイルとＲＡＷファイルとを生成するものとしても構わない。
【００２０】
フラッシュメモリ２６は、本体に固定されている不揮発性のフラッシュメモリ２６ａと、装着・装着解除可能な携帯用のメモリカード２６ｂとにより構成されている。フラッシュメモリ２６には、図２に示すように、撮像ユニット２４により撮像された画像ファイルが保存されている。ＪＰＥＧファイルでは、前回作成したファイルに含まれる番号と連番になる４桁の数字を含むファイル名が付与されるよう設定されている。また、ＲＡＷファイルでは、生成されるＪＰＥＧファイルと同じ４桁の数字を含むファイル名が付与されるよう設定されている。これらの画像ファイルは、前回作成したフォルダに含まれる番号と連番になる３桁の数字を含むフォルダ名のフォルダに順次格納される。また、ＲＡＷファイルには、撮影した機器の情報（例えば製造会社名や機器名など）などが格納され、その機器によってはその撮影機器で現像されたサムネイル画像が格納されており、ＪＰＥＧファイルには、撮影した機器の情報及び現像した機器の情報やサムネイル画像などが格納されている。本実施形態では、現像前のＲＡＷファイルとこのＲＡＷファイルを現像して得られるＪＰＥＧファイルとを「画像ファイル群に属する画像ファイル」と称し、ＲＡＷファイルやＪＰＥＧファイルのいずれかのみが保存されている各々を「単画像ファイル」と称するものとする。また、デジタルカメラ２０では、ＲＡＷファイルとこのＲＡＷファイルから生成されるＪＰＥＧファイルとを同一のフォルダに格納するものとし、ＲＡＷファイルやＪＰＥＧファイルのいずれかのみは、そのファイルのみが１つのフォルダに格納されるものとした。このように、デジタルカメラ２０で撮影又は現像したものについては、フォルダ名の数字とファイル名の数字とを用いて、画像ファイルが画像ファイル群に属するか否かを把握することができる。なお、フラッシュメモリ２６には、他の撮影装置で撮影及び現像された画像ファイルも保存されているものとした。また、フラッシュメモリ２６は、本体に固定されているフラッシュメモリ２６ａと、携帯用のメモリカード２６ｂとのいずれか一方により構成されているものとしてもよい。
【００２１】
操作パネル３０は、ユーザがデジタルカメラ２０に対して各種の指示を入力するためのデバイスであり、各種の指示に応じた文字、図形又は記号、及び画像が表示される表示部３２や、各種操作を行う操作部３４が設けられている。表示部３２は、カラー画像を表示する液晶パネルにより構成されている。操作部３４には、デジタルカメラ２０を起動、終了する際に押下される電源キー３４ａやユーザが処理や文字等を選択するカーソルなどを移動させるときに押下されるカーソルキー３４ｂ、処理選択などを決定するときに押下される決定キー３４ｃ、図示しない印刷装置にケーブル接続され画像を印刷指示する際に押下される印刷キー３４ｄなどのほか、図示しないが、選択した処理をキャンセルする際などに押下される戻りキー、画面などを切り替えるときに押下される表示切替キー、各種設定を行うメニュー画面を表示するときに押下されるメニューキーなどが配置されている。
【００２２】
コントローラ４０は、ＣＰＵ４２を中心とするマイクロプロセッサとして構成されており、ＣＰＵ４２の他に処理プログラムを記憶するＲＯＭ４４と、データを一時的に記憶するＲＡＭ４６と、図示しない入出力ポートおよび通信ポートとを備えている。コントローラ４０には、シャッタボタン２２からの押し信号、撮像ユニット２４からの各種信号、フラッシュメモリ２６から読み出した各種データ、操作パネル３０の操作部３４からの入力信号などが入力される。また、コントローラ４０からは、撮像ユニット２４への駆動信号、現像部２４ａへの現像指令、フラッシュメモリ２６への各種データの要求信号、操作パネル３０の表示部３２への表示信号などが出力される。
【００２３】
次に、本実施形態のデジタルカメラ２０の動作、特にフラッシュメモリ２６に記憶されている画像を表示し所定の処理、ここでは、削除処理を行う際の動作について説明する。図３は、コントローラ４０のＣＰＵ４２により実行される画像選択表示処理ルーチンの一例を示すフローチャートである。このルーチンは、ＲＯＭ４４に記憶され、ユーザにより操作部３４が操作され図示しないメニュー画面の「画像ファイルの削除」が選択されたあと実行される。このルーチンが開始されると、ＣＰＵ４２は、まず、フラッシュメモリ２６に記憶された画像ファイルのファイル名や撮影又は現像した機器名、サムネイル画像の有無などの画像ファイルに関する情報を読み出し（ステップＳ１００）、読み出した画像ファイルが画像ファイル群に属するか否かを判定する（ステップＳ１１０）。画像ファイル群に属するか否かの判定は、同一フォルダにＪＰＥＧファイルとＲＡＷファイルとがあるか否かや、同じ番号を含むファイル名がＪＰＥＧファイルとＲＡＷファイルとにあるか否かに基づいて判定することができる。読み出した画像ファイルが画像ファイル群に属しないときには、単画像ファイルであるとしてＲＡＭ４６に記憶し（ステップＳ１２０）、画像ファイルが画像ファイル群に属するときには、画像ファイル群に属する画像ファイル、即ちＲＡＷファイルとこのＲＡＷファイルから生成したＪＰＥＧファイルのいずれかであるとしてＲＡＭ４６に記憶する（ステップＳ１３０）。このとき、撮影又は現像した機器名の情報もＲＡＭ４６に記憶する。次に、全ファイルをフラッシュメモリ２６から読み出したか否かを判定し（ステップＳ１４０）、全ファイルを読み出していないときには、ステップＳ１００以降の処理を実行し、全ファイルを読み出したときには、単画像ファイルについてはその画像を、画像ファイル群に属する画像ファイルについては含まれる画像のうちいずれかの画像を含むユーザにより選択可能な画像選択画面８０を表示部３２に表示させ（ステップＳ１５０）、撮影又は現像した機器名など、画像ファイルに関する情報を視認可能な態様で表示部３２に表示させる（ステップＳ１５５）。
【００２４】
図４は、表示部３２に表示される画像選択画面８０の説明図であり、（ａ）が画像選択前の図、（ｂ）が画像選択後の図である。画像選択画面８０は、各画像ファイルのサムネイル画像を横３枚で２段となるよう画像ファイルの画像８０ａ〜８０ｆ（総称を画像８０とする）を配置し、カーソルキー３４ｂの左右キーの押下に伴いカーソル８１が移動し次ページや前ページを表示するよう設定されている。また、画像選択画面８０では、画像ファイル群の画像、例えば画像８０ａについては、単画像ファイルと異なる態様、ここでは、画像の外側に縁部８３ａ（縁部８３ｂなどの総称を縁部８３とする）を付した縁付きの画像として表示するものとした（画像８０ａ，８０ｂ参照）。なお、画像ファイル群の画像は、ＪＰＥＧファイルに基づくサムネイル画像を最優先とし、次にＲＡＷファイルのサムネイル画像、サムネイル画像がない場合はＪＰＥＧファイルやＲＡＷファイルから作成したサムネイル画像を表示するものとした。なお、ＲＡＷファイルからサムネイル画像を作成する際には、現像処理を現像部２４ａで行い、現像部２４ａにより現像できない場合には、画像選択画面８０上で画像が表示されないものとした。この画像選択画面８０では、各画像８０ａ〜８０ｆの上にそれぞれ、表示されている画像がどの種のファイルに相当するかの情報を文字で表示する表示画像情報表示部８４ａ〜８４ｅ（総称を表示画像情報表示部８４とする）と、表示している画像がいずれの機器により現像されたかの情報を文字で表示する現像機器情報表示部８５ａ〜８５ｅ（総称を現像機器情報表示部８５とする）とが配置されている。例えば画像８０ａでは、「Ｊ（Ｒ）」を表示する表示画像情報表示部８４ａがその右下側に配置されている。この表示画像情報表示部８４ａの「Ｊ（Ｒ）」のうち、「Ｊ」がＪＰＥＧファイルのサムネイル画像を表示していることを表し、「（Ｒ）」がＪＰＥＧファイルのほかにＲＡＷファイルがフラッシュメモリ２６に保存されていることを表している。また、表示画像情報表示部８４ｃの「ＪＰＥＧ」は、ＪＰＥＧファイルのみフラッシュメモリ２６に保存され、このサムネイル画像を表示していることを表している。また、表示画像情報表示部８４ｅの「ＲＡＷ」は、ＲＡＷファイルのみフラッシュメモリ２６に保存され、このサムネイル画像を表示していることを表している。このように、画像選択画面８０画面では、表示している各画像に関するユーザが必要とする情報が容易に視認可能なように表示されるのである。そして、サムネイル画像ではあるが、例えば現像した機器による画質の差などを確認可能となっている。
【００２５】
さて、ステップＳ１５５のあと、ＣＰＵ４２は、画像選択画面８０に表示されている画像が選択されたか否かを、決定キー３４ｃの押下に基づいて判定し（ステップＳ１６０）、画像が選択されていないときにはそのまま待機し、画像が選択されたときには画像ファイル群の画像が選択されたか否かを判定する（ステップＳ１７０）。画像ファイル群の画像が選択されたときには、図４（ｂ）に示すように、画像ファイル群のうちいずれの画像ファイルに対して削除処理を行うかをユーザにより選択可能な文字で表示する選択表示部８２を表示部３２に表示させる（ステップＳ１８０）。選択表示部８２は、ＲＡＷファイル、ＪＰＥＧファイル又はすべてのファイルの削除が選択可能なプルダウン表示である。
【００２６】
続いて、ＣＰＵ４２は、選択表示部８２に表示された選択肢のうちいずれかが選択されることにより画像ファイルが選択されたか否かを決定キー３４ｃの押下に基づいて判定し（ステップＳ１９０）、画像ファイルが選択されていないときはそのまま待機する。一方、画像ファイルが選択されたとき、又はステップＳ１７０で画像ファイル群以外の画像、即ち単画像ファイルの画像が選択されたあと、選択された画像ファイルに対し削除処理を実行し（ステップＳ２００）、そのままこのルーチンを終了する。このとき、ＲＡＷファイルが選択されたときにはＲＡＷファイルを削除し、ＪＰＥＧファイルが選択されたときにはＪＰＥＧファイルを削除し、すべての画像ファイルが選択されたときにはＲＡＷファイルとＪＰＥＧファイルの両方を削除する。
【００２７】
ここで、本実施形態の構成要素と本発明の構成要素との対応関係を明らかにする。本実施形態の表示部３２が本発明の表示手段に相当し、フラッシュメモリ２６が記憶手段に相当し、操作部３４が選択手段に相当し、撮像ユニット２４が撮像手段及び画像ファイル作成手段に相当し、ＣＰＵ４２が判定手段、指示取得手段及び制御手段に相当する。なお、本実施形態では、デジタルカメラ２０の動作を説明することにより本発明の画像表示方法の一例も明らかにしている。
【００２８】
以上詳述した本実施形態のデジタルカメラ２０によれば、記憶されている画像ファイルが、現像前のＲＡＷファイルとこのＲＡＷファイルを現像して得られるＪＰＥＧファイルとの２以上の画像ファイルを含む画像ファイル群に属するか否かを判定し、画像ファイルが画像ファイル群に属すると判定されたときには、画像ファイル群に属する画像ファイルのうちＪＰＥＧファイルに基づくサムネイル画像に縁部８３を配置し単画像ファイルと区別可能な状態でユーザにより選択可能である画像選択画面８０を表示すると共に、表示している各画像の、表示されている画像がどの種のファイルに相当するかの情報を含む表示画像情報表示部８４や、現像を実行した機器名を含む現像機器情報表示部８５などこの画像ファイル群や単画像ファイルに関する情報を文字表示する。このように、複数の画像のうち１つの画像が表示されるため、ユーザは、同じ画像が複数表示されるものに比して、目的のファイルを探し出しやすい。また、画像ファイル群に関する情報を表示するため、ユーザは、画像ファイル群や単画像ファイルの内容を理解しやすい。ＲＡＷファイル及びＪＰＥＧファイルは、ＲＡＷファイルを現像し圧縮してＪＰＥＧファイルを生成することが多いことから、同じ被写体の画像であることが多く、本発明を適用する意義が高い。また、各々のファイルがいずれの機器で撮像又は現像されたかをユーザが認識することができるから、例えばＪＰＥＧファイルを再現像するか否かの判断などに役立てることができる。更に、いずれの画像ファイルに基づく画像を表示させているかの情報を表示するため、表示画像の画質がいずれの画像ファイルによるものかをユーザが認識することができる。更にまた、画像ファイル群に属する画像に縁部８３を設けて単画像ファイルの画像とを異なる態様で表示するため、ユーザは、表示された画像が１つのファイルのものであるか、２以上のファイルが含まれているものであるかを容易に視認することができる。
【００２９】
また、画像ファイル群に属するいずれの画像ファイルに削除処理を行うかをユーザが選択可能な文字で表示するため、ユーザが画像ファイル群に属する画像ファイルを個別に選択することができる。更に、ユーザが画像選択画面８０の画像を選択すると、選択表示部８２が表示されるため、ユーザが画像ファイル群に属する画像と単画像ファイルの画像とを選択しやすい。更にまた、ユーザの操作部３４の操作により削除処理を実行する画像ファイルの選択処理の開始指示を取得したあと画像ファイルが画像ファイル群に属すか否かの判定を行うため、ユーザの望むときに選択する画像ファイルの画像を表示することができる。そして、画像ファイルの削除処理は、画像を表示して選択したのち実行することが多いため、本発明を適用する意義が高い。更にまた、画像ファイル群を表示する画像が１つで済むため、ＲＡＭ４６のリソースを低減することができ、ひいては処理を円滑に行うことができる。
【００３０】
なお、本発明は上述した実施形態に何ら限定されることはなく、本発明の技術的範囲に属する限り種々の態様で実施し得ることはいうまでもない。
【００３１】
例えば、上述した実施形態では、表示画像情報表示部８４や現像機器情報表示部８５を文字表示するものとしたが、記号や画像（例えば予め定められたアイコン）などを用いて表示するものとしてもよい。こうしても、表示されている画像の情報をユーザは視認することができる。
【００３２】
上述した実施形態では、表示されている画像が縁部８３によって画像ファイル群のものであることを表し、表示画像情報表示部８４によって、表示されている画像がいずれの種の画像に基づいているのかを表すものとしたが、図５に示すように、表示されている画像が単画像ファイルであり且つＪＰＥＧファイルのものであるときには、縁部８３と異なる色（ここでは白色）のＪＰＥＧ縁部８６（ＪＰＥＧ縁部８６ｃ、８６ｄ）を画像の外側に付した縁付きの画像とし、表示されている画像が単画像ファイルであり且つＲＡＷファイルのものであるときには、縁部８３，８６と異なる色（ここでは黒色）のＪＰＥＧ縁部８７（ＲＡＷ縁部８７ｅ）を画像の外側に付した縁付きの画像として表示するものとしてもよい。図５は、表示部３２に表示される画像選択画面９０の説明図である。こうしても、ユーザは、表示されている画像が画像ファイル群のものであるか、単画像ファイルのものであるかを色により容易に視認することができる。あるいは、縁部８３、ＪＰＥＧ縁部８６及びＲＡＷ縁部８７などを用いずに、現像機器情報表示部８５の色を、表示されている各元画像の種別ごとに定められた色に表示するものとしてもよい。
【００３３】
上述した実施形態では、表示画像情報表示部８４に「Ｊ（Ｒ）」や「ＪＰＥＧ」や「ＲＡＷ」などの文字を表示するものとしたが、ＲＡＷファイルがある場合は、このファイルを用いて現像部２４ａにより新たにＪＰＥＧファイルを現像可能であるから、図６に示すように、表示画像情報表示部８８に、ＲＡＷファイルが保存されている画像については「再現像可能」と表示し（表示画像情報表示部８８ａ，８８ｂ，８８ｅ）、ＲＡＷファイルが保存されていない画像については「現像不可」と表示する（表示画像情報表示部８８ｃ，８８ｄ）ものとしてもよい。図６は、表示部３２に表示される画像選択画面９２の説明図である。こうすれば、ユーザは、どの画像がＪＰＥＧファイルを現像段階からやり直せるかを視認することができる。なお、デジタルカメラ２０は、例えば、撮像素子間における画素補間の方法や、ホワイトバランス処理の条件、ガンマ処理の条件などの現像条件をユーザが操作部３４を操作することにより入力可能に設定し、ユーザにより入力された現像条件に基づいてＲＡＷファイルからＪＰＥＧファイルを生成するものとしてもよい。図７は、現像条件設定処理ルーチンの一例を表すフローチャートである。このルーチンは、ＲＯＭ４４に記憶され、図示しないメニュー画面で「現像条件の設定」が選択されて決定キー３４ｃが押下されたあとＣＰＵ４２によって実行される。このルーチンを開始すると、ＣＰＵ４２は、画像の現像に用いる現像条件の各々の数値を入力可能な図示しない現像条件設定画面を表示部３２に表示出力する（ステップＳ３００）。ここで、現像条件には、例えば、オプティカルな黒色レベルの値を減算処理して黒信号レベルをゼロにするオプティカルブラック処理、撮影時の光源による色味の違いを補正するホワイトバランス処理、各画素間の色情報を補間する画素補間処理、画像のサイズを変更するリサイズ処理、撮影された画像の色のバランスを調整する色再現処理、画像の輪郭を強調するシャープネス処理、画像のコントラストを調整すると共に画像の出力先の特性に合わせて適正なトーンを補正するガンマ補正処理などの条件が含まれる。次に、キー操作により数値が入力されたか否かを判定し（ステップＳ３１０）、入力されたときにはこの入力された値をフラッシュメモリ２６ａに保存し（ステップＳ３２０）、ステップＳ３２０のあと、またはステップＳ３１０で現像条件が入力されなかったあと、入力操作が終了したか否かを図示しない画面上に表示された入力終了ボタンが選択されたか否かに基づいて判定する（ステップＳ３３０）。入力操作が終了していないときにはステップＳ３００以降の処理を実行し、入力操作が終了したときにはこのルーチンを終了する。このようにＲＡＷファイルからＪＰＥＧファイルへ現像する際のパラメータをユーザが設定するのである。なお、パラメータの設定時に、ユーザが入力したパラメータにより生成される画像を表示部３２に表示してもよい。こうすれば、パラメータの値の変更がどのように画像に反映されるかをユーザが確認することができる。こうすれば、よりＲＡＷファイルの利用を図ることができ、ユーザは、表示部３２で画質を確認した上でより望みの画質を得ることができる。
【００３４】
上述した実施形態では、縁部８３と表示画像情報表示部８４と現像機器情報表示部８５とを表示するものとしたが、いずれか１つを表示するものとすれば他の少なくとも１つ以上の表示を省略してもよい。こうしても、表示されている情報により、ユーザは、画像ファイル群の内容を理解しやすい。
【００３５】
上述した実施形態では、表示している画像がどの機器で現像されたかの情報を現像機器情報表示部８５により表示部３２へ表示するものとしたが、これに加えて又はこれに代えて、表示している画像がいずれの機器で撮像されたのかの情報を表示部３２へ表示するものとしてもよいし、これに更に加えて又はこれに代えて、表示している画像が画像ファイル群のものであるときに、ＲＡＷファイルがいずれの機器で撮像されたかの情報を表示部３２に表示させるものとしてもよい。こうすれば、更に多くの情報をユーザが得ることができ、画像ファイル群や単画像ファイルの内容を一層理解しやすい。なお、上述した実施形態では、ＪＰＥＧファイルのサムネイル画像を最優先に表示部３２へ表示するものとしたが、特にこれに限定されず、ＲＡＷファイルのサムネイル画像を最優先としても構わない。
【００３６】
上述した実施形態では、画像ファイルの削除処理の際に、画像ファイル群に属する画像ファイルのうち１つの画像をユーザにより選択可能な態様で表示部３２に表示するものとしたが、画像ファイルの削除処理以外に、例えば画像ファイルの複製処理や移動処理、印刷処理及びＪＰＥＧファイルの生成処理の際に、画像ファイル群に属する画像ファイルの画像を１つだけ表示するものとしてもよい。画像ファイルの複製処理、移動処理、印刷処理及びＪＰＥＧファイルの生成処理についても、複数の画像を表示して選択したのち実行することが多いため、本発明を適用する意義が高い。
【００３７】
上述した実施形態では、ユーザの操作部３４の操作により削除処理を実行する画像ファイルの選択処理の開始指示により、画像ファイル群に属する画像ファイルの画像を１つだけ表示し、文字によりいずれかの画像ファイルかを選択可能に表示するものとしたが、特にこれに限られない。例えば、フラッシュメモリ２６に記憶された画像ファイルの情報を一時的に記憶するＲＡＭ４６に記憶した画像ファイルの情報量が所定の許容記憶量（例えば全体の８割など）を超えたときに、画像ファイル群に属する画像ファイルの画像を１つだけ表示し、文字によりいずれかの画像ファイルかを選択可能に表示するものとしてもよいし、フラッシュメモリ２６に記憶した記憶量が所定の許容記憶量（例えば全体の８割など）を超えたときに、画像ファイル群に属する画像ファイルの画像を１つだけ表示するものとしてもよい。こうしても、目的のファイルをより探し出しやすくすることができる。また、ＲＡＭ４６やフラッシュメモリ２６に記憶した情報の記憶量を抑えることができるため、表示処理や削除処理などを円滑に行うことができる。あるいは、表示部３２に表示する画像数が所定の許容数以上であるときに、画像ファイル群に属する画像ファイルの画像を１つだけ表示し、文字によりいずれかの画像ファイルかを選択可能に表示するものとしてもよい。ここで、「所定の許容数」は、表示部３２の１ページに画像を表示可能な数としてもよい。こうすれば、許容数以上となるのを抑制する、即ち、画像表示が２ページ以上になるのを抑制し、表示する画像の数が低減するため、目的のファイルをより探し出しやすくすることができる。
【００３８】
上述した実施形態では、デジタルカメラ２０として本発明を説明したが、画像ファイル群に属する画像ファイルを表示するものであれば特に限定されず、画像を再生するピクチャービューワや、デジタルビデオ、カメラ付き携帯電話などに適用してもよいし、表示部を備えたプリンタ、ＦＡＸなどの印刷装置などに本発明を適用してもよい。なお、画像ファイルは、ＲＡＷファイルとＪＰＥＧファイルとを用いて説明したが、他の画像ファイル、例えばＢＭＰファイルやＴＩＦＦファイルなどに適用してもよい。また、選択表示部８２は、文字表示するものとしたが、記号や図形を用いてもよい。更に、デジタルカメラ２０の態様で説明したが、画像表示方法の態様としてもよいし、この画像表示方法のプログラムの態様としてもよい。
【図面の簡単な説明】
【００３９】
【図１】デジタルカメラ２０の構成の概略を示す説明図である。
【図２】フラッシュメモリ２６に記憶された情報の説明図である。
【図３】画像選択表示処理ルーチンの一例を示すフローチャートである。
【図４】表示部３２に表示される画像選択画面８０の説明図である。
【図５】表示部３２に表示される画像選択画面９０の説明図である。
【図６】表示部３２に表示される画像選択画面９２の説明図である。
【図７】現像条件設定処理ルーチンの一例を表すフローチャートである。
【符号の説明】
【００４０】
２０  デジタルカメラ、２２  シャッタボタン、２４  撮像ユニット、２４ａ  現像部、２６，２６ａ  フラッシュメモリ、２６ｂ  メモリカード、２８  バス、３０  操作パネル、３２  表示部、３４  操作部、３４ａ  電源キー、３４ｂ  カーソルキー、３４ｃ  決定キー、３４ｄ  印刷キー、４０  コントローラ、４２  ＣＰＵ、４４  ＲＯＭ、４６  ＲＡＭ、８０，９０，９２  画像選択画面、８０ａ〜８０ｆ  画像、８１  カーソル、８２  選択表示部、８３ａ，８３ｂ  縁部、８４ａ〜８４ｅ，８８ａ〜８８ｂ  表示画像情報表示部、８５ａ〜８５ｅ  現像機器情報表示部、８６ｃ，８６ｄ  ＪＰＥＧ縁部、８７ｅ  ＲＡＷ縁部。
【図１】
2008109630.tif 000003
【図２】
2008109630.tif 000004
【図３】
2008109630.tif 000005
【図４】
2008109630.tif 000006
【図５】
2008109630.tif 000007
【図６】
2008109630.tif 000008
【図７】
2008109630.tif 000009